(57)【特許請求の範囲】
【請求項１】
キャラクターを模した形状に形成され、胴部と、前記胴部に連なり顔面模様を有する頭部と、を有する第１の消しゴムと、前記第１の消しゴムに着脱可能に取り付けられる第２の消しゴムと、を有する組立式消しゴムであって、
前記第２の消しゴムは、その裏面側が前記第１の消しゴムの表面側に合わさり、且つ、前記第１の消しゴムの少なくとも一部を前記裏面側にて保持可能であり、
さらに前記第２の消しゴムは、前記第１の消しゴムに取り付けられた状態において前記第２の消しゴムの表面側に前記顔面模様を臨ませる開口部を有することを特徴とする組立式消しゴム。
【請求項２】
キャラクターを模した形状に形成され、胴部と、前記胴部に連なる頭部と、を有する第１の消しゴムと、前記第１の消しゴムに着脱可能に取り付けられる第２の消しゴムと、を有する組立式消しゴムであって、
前記第２の消しゴムは、その裏面側が前記第１の消しゴムの表面側に合わさり、且つ、前記第１の消しゴムの少なくとも一部を前記裏面側にて保持可能であり、
さらに前記第２の消しゴムは、前記頭部を収納可能な頭部収納部と、前記胴部を収納して保持可能な胴部収納部と、を有することを特徴とする組立式消しゴム。
【請求項３】
第１の消しゴムと、前記第１の消しゴムに着脱可能に取り付けられる第２の消しゴムと、を有する組立式消しゴムであって、
前記第２の消しゴムは、その裏面側が前記第１の消しゴムの表面側に合わさり、且つ、前記第１の消しゴムの少なくとも一部を前記裏面側にて保持可能であり、
さらに前記第２の消しゴムは、その表面に装飾消しゴムを取り付けるための複数の取り付け孔を有することを特徴とする組立式消しゴム。
【請求項４】
前記第１の消しゴムは、キャラクターを模した形状に形成され、胴部と、前記胴部に連なる頭部と、を有することを特徴とする請求項３に記載の組立式消しゴム。
【請求項５】
前記第２の消しゴムは、前記胴部を保持可能であることを特徴とする請求項４に記載の組立式消しゴム。
【請求項６】
複数種類の前記第１の消しゴムを有し、
複数種類の前記第１の消しゴムにおいて、各々の前記頭部は、互いに異なる形状に形成される一方、各々の前記胴部は、略同一の形状に形成されることを特徴とする請求項１、２、５のいずれかに記載の組立式消しゴム。
【請求項７】
前記頭部は、前記胴部よりも大きく形成されることを特徴とする請求項１、２、４、５、６のいずれかに記載の組立式消しゴム。
【請求項８】
前記第１の消しゴムは、顔面模様を前記頭部に有することを特徴とする請求項２、４、５のいずれかに記載の組立式消しゴム。
【請求項９】
前記第２の消しゴムは、前記第１の消しゴムに取り付けられた状態において前記第２の消しゴムの表面側に前記顔面模様を臨ませる開口部を有することを特徴とする請求項８に記載の組立式消しゴム。
【請求項１０】
前記第２の消しゴムは、前記頭部を収納可能な頭部収納部と、前記胴部を収納して保持可能な胴部収納部と、を有することを特徴とする請求項１、２、４、５、６、７、８、９のいずれかに記載の組立式消しゴム。
【請求項１１】
前記第１の消しゴムおよび前記第２の消しゴムは、扁平状に形成されることを特徴とする請求項１〜１０のいずれかに記載の組立式消しゴム。
【請求項１２】
前記第２の消しゴムは、その表面に装飾消しゴムを取り付けるための複数の取り付け孔を有することを特徴とする請求項１または２のいずれかに記載の組立式消しゴム。
【発明の詳細な説明】
【技術分野】
【０００１】
本発明は、組立式消しゴムに関し、より詳細には、第１の消しゴムと、第１の消しゴムに着脱可能に取り付けられる第２の消しゴムとを有する組立式消しゴムに関する。
【背景技術】
【０００２】
従来、複数の消しゴムを組み立ててなる組立式の消しゴムが提案されている（例えば、特許文献１参照）。
【０００３】
特許文献１に記載される消しゴム装置は、胴体ブロック、頭体ブロック、上肢体ブロックおよび下肢体ブロックを備え、これらのブロックを消しゴム材料で構成すると共に、胴体ブロックの外周部に凹部を設け、この凹部に係合・離脱する凸部を、頭体ブロック、上肢体ブロックおよび下肢体ブロックの各々に設ける。この消しゴム装置では、胴体ブロックの凹部に対して、頭体ブロック、上肢体ブロックおよび下肢体ブロックの各々の凸部を着脱することで、人形の総体を任意に得る。
【先行技術文献】
【特許文献】
【０００４】
【特許文献１】実開昭６３−１８８１９１号公報（第１図）
【発明の概要】
【発明が解決しようとする課題】
【０００５】
ところで、近年、より意匠性の高い文房具や玩具が求められている。
しかしながら、特許文献１に記載される消しゴム装置では、胴体ブロックの外周部に設けた凹部に、頭体ブロック等に設けた凸部を係合して人形の総体を組み立てる。このため、凹部と凸部で構成される結合部分が消しゴムの表面側からはっきりと見えてしまい、組み立てた人形（消しゴム）の見栄えが良くない。したがって、組立式の消しゴムにおいて、見栄えの良い組み立て構造が望まれる。
【０００６】
本発明は、このような事情に鑑みてなされたものであり、その目的は、意匠性に優れる組立式消しゴムを提供することにある。
【課題を解決するための手段】
【０００７】
本発明は、以下の構成によって把握される。
本発明の組立式消しゴムは、キャラクターを模した形状に形成され、胴部と、前記胴部に連なり顔面模様を有する頭部と、を有する第１の消しゴムと、前記第１の消しゴムに着脱可能に取り付けられる第２の消しゴムと、を有する組立式消しゴムであって、前記第２の消しゴムは、その裏面側が前記第１の消しゴムの表面側に合わさり、且つ、前記第１の消しゴムの少なくとも一部を前記裏面側にて保持可能であり、さらに前記第２の消しゴムは、前記第１の消しゴムに取り付けられた状態において前記第２の消しゴムの表面側に前記顔面模様を臨ませる開口部を有することを特徴とする。
また、本発明の組立式消しゴムは、キャラクターを模した形状に形成され、胴部と、前記胴部に連なる頭部と、を有する第１の消しゴムと、前記第１の消しゴムに着脱可能に取り付けられる第２の消しゴムと、を有する組立式消しゴムであって、前記第２の消しゴムは、その裏面側が前記第１の消しゴムの表面側に合わさり、且つ、前記第１の消しゴムの少なくとも一部を前記裏面側にて保持可能であり、さらに前記第２の消しゴムは、前記頭部を収納可能な頭部収納部と、前記胴部を収納して保持可能な胴部収納部と、を有することを特徴とする。
さらに、本発明の組立式消しゴムは、第１の消しゴムと、前記第１の消しゴムに着脱可能に取り付けられる第２の消しゴムと、を有する組立式消しゴムであって、前記第２の消しゴムは、その裏面側が前記第１の消しゴムの表面側に合わさり、且つ、前記第１の消しゴムの少なくとも一部を前記裏面側にて保持可能であり、さらに前記第２の消しゴムは、その表面に装飾消しゴムを取り付けるための複数の取り付け孔を有することを特徴とする
【０００８】
上記発明の組立式消しゴムでは、前記第１の消しゴムは、キャラクターを模した形状に形成され、胴部と、前記胴部に連なる頭部と、を有することを特徴とする。
【０００９】
上記発明の組立式消しゴムでは、前記第２の消しゴムは、前記胴部を保持可能であることを特徴とする。
【００１０】
上記発明の組立式消しゴムは、複数種類の前記第１の消しゴムを有し、複数種類の前記第１の消しゴムにおいて、各々の前記頭部は、互いに異なる形状に形成される一方、各々の前記胴部は、略同一の形状に形成されることを特徴とする。
【００１１】
上記発明の組立式消しゴムでは、前記頭部は、前記胴部よりも大きく形成されることを特徴とする。
【００１２】
上記発明の組立式消しゴムでは、前記第１の消しゴムは、顔面模様を前記頭部に有することを特徴とする。
【００１３】
上記発明の組立式消しゴムでは、前記第２の消しゴムは、前記第１の消しゴムに取り付けられた状態において前記第２の消しゴムの表面側に前記顔面模様を臨ませる開口部を有することを特徴とする。
【００１４】
上記発明の組立式消しゴムでは、前記第２の消しゴムは、前記頭部を収納する頭部収納部と、前記胴部を収納して保持する胴部収納部と、を有することを特徴とする。
【００１５】
上記発明の組立式消しゴムでは、前記第１の消しゴムおよび前記第２の消しゴムは、扁平状に形成されることを特徴とする。
【００１６】
上記発明の組立式消しゴムでは、前記第２の消しゴムは、その表面に装飾消しゴムを取り付けるための複数の取り付け孔を有することを特徴とする。
【発明の効果】
【００１７】
本発明によれば、意匠性、装飾性に優れる面白い組立式消しゴムを提供することができる。
【図面の簡単な説明】
【００１８】
【図１】本発明に係る実施形態の組立式消しゴムの分解斜視図である。
【図２】（ａ）は第１の消しゴムの正面図、（ｂ）は他の第１の消しゴムの正面図である。
【図３】（ａ）は第２の消しゴムの正面図、（ｂ）は他の第２の消しゴムの正面図である。
【図４】第２の消しゴムの構成を説明する図であり、第１・第２の消しゴムの斜視図である。
【図５】図４のＡ−Ａ線断面図であり、第２の消しゴムの断面図である。
【図６】装飾消しゴムの正面図である。
【図７】組立式消しゴムの組み立て方法を説明する図である。
【図８】組立式消しゴムの作用を説明する図である。
【図９】組立式消しゴムの使用例を説明する図である。
【発明を実施するための形態】
【００１９】
以下、添付図面を参照して、本発明を実施するための形態（以下、「実施形態」という。）について詳細に説明する。実施形態の説明の全体を通して同じ要素には同じ番号を付している。また、実施形態において、「表面」は、組立式消しゴムの正面側（使用者が見る側）に向く面を示し、「裏面」は、表面と反対側に向く面を示す。
【００２０】
図１に示すように、実施形態の組立式消しゴム１０は、第１の消しゴム２０と、第１の消しゴム２０に着脱可能に取り付けられる第２の消しゴム３０と、第２の消しゴム３０を装飾するための装飾消しゴム４０とを有する。第１の消しゴム２０、第２の消しゴム３０、装飾消しゴム４０は、合成樹脂材料、ゴム材料等を含む各種の消しゴム材料で構成されており、組立式消しゴム１０は、玩具および文房具の両方の機能を兼ね備える。
【００２１】
第１の消しゴム２０を図２に基づいて説明する。
本実施形態では、複数種類の第１の消しゴム２０を設定する。以下の説明では、複数種類の第１の消しゴム２０について、個々の第１の消しゴム２０を説明する場合、同一の番号に「Ａ」、「Ｂ」を付けて区別し、これらをまとめて称する場合には番号のみを用いる。
【００２２】
複数種類の第１の消しゴム２０は、例えば、図２（ａ）に示される第１の消しゴム２０Ａと、図２（ｂ）に示される第１の消しゴム２０Ｂとから構成することができる。なお、第１の消しゴム２０の種類数は、任意に変更可能であり、１種類または３種類以上でもよい。
【００２３】
図２（ａ）に示すように、第１の消しゴム２０Ａは、扁平状で且つ略左右対称形状に形成される。第１の消しゴム２０Ａは、キャラクターを模した形状に形成され、胴部２１Ａと、胴部２１Ａに連なる頭部２２Ａとを有する。頭部２２Ａは、胴部２１Ａよりも大きく形成される。この構成によれば、頭部が胴部よりも大きいことで、意匠性を高めることができる。
頭部２２Ａの表面２５Ａ側の下部には、顔面模様２３Ａが設けられる。顔面模様２３Ａは、印刷等により表面２５Ａに設けることができる。また、第１の消しゴム２０Ａが透明性を有する材料で構成される場合は、頭部２２Ａの裏面２６Ａ側に顔面模様２３Ａを設けてもよい。なお、本発明において、「キャラクター」とは、ゲーム、テレビ番組、映画、漫画、アニメーションなどに登場する人物、動物、生物などをいう。
【００２４】
図２（ｂ）に示すように、第１の消しゴム２０Ｂは、扁平状で且つ略左右対称形状に形成され、第１の消しゴム２０Ａとは異なるキャラクターを模した形状に形成される。第１の消しゴム２０Ｂは、頭部２２Ｂと、胴部２１Ｂに連なる頭部２２Ｂとを有しており、頭部２２Ｂは、胴部２１Ｂよりも大きく形成される。また、頭部２２Ｂの顔面模様２３Ｂは、頭部２２Ａの顔面模様２３Ａとは異なる模様で構成される。第１の消しゴム２０Ｂにおいても、透明性を有する材料で構成される場合、頭部２２Ｂの裏面２６Ｂ側に顔面模様２３Ｂを設けてもよい。
【００２５】
これら複数種の第１の消しゴム２０Ａ，２０Ｂにおいて、各々の頭部２２Ａ，２２Ｂは、互いに異なる形状に形成される。一方、各々の胴部２１Ａ，２１Ｂは、略同一の形状に形成される。すなわち、第１の消しゴム２０Ａ，２０Ｂを正面から見たとき、胴部２１Ａ，２１Ｂの外形は、略同一の形状である。胴部２１Ａ，２１Ｂの厚みは、略同じ大きさであることが望ましいが、異なる大きさでも差し支えない。
【００２６】
次に、第２の消しゴム３０を図３に基づいて説明する。
本実施形態では、複数種類の第２の消しゴム３０を設定する。以下の説明では、複数種類の第２の消しゴム３０について、個々の第２の消しゴム３０を説明する場合、同一の番号に「Ａ」、「Ｂ」を付けて区別し、これらをまとめて称する場合には番号のみを用いる。
【００２７】
複数種類の第２の消しゴム３０は、例えば、図３（ａ）に示される第２の消しゴム３０Ａと、図３（ｂ）に示される第２の消しゴム３０Ｂとから構成することができる。なお、第２の消しゴム３０の種類数は、任意に変更可能であり、１種類または３種類以上でもよい。
【００２８】
図３（ａ）に示すように、第２の消しゴム３０Ａは、着ぐるみを模した形状に形成されており、扁平状で且つ略左右対称形状に形成される。第２の消しゴム３０Ａの裏面３１Ａ側には、凹部３２Ａが設けられる。凹部３２Ａは、第２の消しゴム３０Ａの外形に沿うように形成されており、頭部２２Ａ，２２Ｂ（図２参照）を収納可能な頭部収納部３３Ａと、胴部２１Ａ，２１Ｂ（図２参照）を収納して保持可能な胴部収納部３５Ａとからなる。第２の消しゴム３０Ａは、第１の消しゴム２０Ａ，２０Ｂ（図２参照）が凹部３２Ａに収納された状態において自立可能である。さらに、第２の消しゴム３０Ａには、装飾消しゴム４０（図１参照）を取り付けるための取り付け孔３６Ａが設けられる。
【００２９】
頭部収納部３３Ａには、第２の消しゴム３０Ａを表裏方向に貫通する開口部３７Ａが設けられる。胴部収納部３５Ａの形状は、胴部２１Ａ，２１Ｂ（図２参照）の外形と略同一の形状であり、胴部２１Ａ，２１Ｂ（図２参照）に嵌合して胴部２１Ａ，２１Ｂ（図２参照）を保持できるように構成される。
【００３０】
この構成によれば、頭部の形状が異なる複数種類の第１の消しゴムに対して、同一の第２の消しゴムを取り付けることができる。これにより、様々な組み合わせの組立式消しゴムを得ることができる。また、複数種類の第２の消しゴムを設定し、これら複数種類の第２の消しゴムの保持構造を共通化すれば、これら複数種類の第２の消しゴムと、複数種類の第１の消しゴムとを自由に組み合わせて、より多くの種類の組立式消しゴムを得ることができる。
【００３１】
図３（ｂ）に示すように、第２の消しゴム３０Ｂは、扁平状で且つ略左右対称形状に形成され、第２の消しゴム３０Ａとは異なる着ぐるみを模した形状に形成される。第２の消しゴム３０Ｂの裏面３１Ｂにおいても、凹部３２Ｂ、頭部収納部３３Ｂ、胴部収納部３５Ｂが設けられる。頭部収納部３３Ｂは、頭部２２Ａ，２２Ｂ（図２参照）を収納可能である。つまり、頭部収納部３３Ｂは、大きさ・形状の異なる各種頭部を収納可能な大きさに形成される。胴部収納部３５Ｂは、胴部２１Ａ，２１Ｂ（図２参照）を収納して保持可能であり、胴部収納部３５Ａと略同一の形状に形成される。第２の消しゴム３０Ｂは、第１の消しゴム２０Ａ，２０Ｂ（図２参照）が凹部３２Ｂに収納された状態において自立可能である。さらに、第２の消しゴム３０Ｂにおいても、取り付け孔３６Ｂ、開口部３７Ｂが設けられる。
【００３２】
なお、第１の消しゴム２０Ａ，２０Ｂ（図２参照）において、第２の消しゴム３０Ａ，３０Ｂによって保持される部位は、胴部２１Ａ，２１Ｂ（図２参照）に格別に限定されるものではなく、頭部２２Ａ，２２Ｂ（図２参照）など他の部位であってもよい。要は、第２の消しゴム３０Ａ，３０Ｂの裏面３１Ａ，３１Ｂ側が第１の消しゴム２０Ａ，２０Ｂ（図２参照）の表面２５Ａ，２５Ｂ（図２参照）側に合わさり、且つ、第１の消しゴム２０Ａ，２０Ｂ（図２参照）の少なくとも一部を裏面３１Ａ，３１Ｂ側にて保持可能であれば、保持される部位は任意である。
【００３３】
次に、凹部３２Ａ，３２Ｂ、開口部３７Ａ，３７Ｂおよび取り付け孔３６Ａ，３６Ｂを図４、図５に基づいて、さらに詳しく説明する。なお、凹部３２Ａ、開口部３７Ａおよび取り付け孔３６Ａと、凹部３２Ｂ、開口部３７Ｂおよび取り付け孔３６Ｂとは、略同一の形態であるため、ここでは、第２の消しゴム３０Ａの凹部３２Ａ、開口部３７Ａ、取り付け孔３６Ａについてのみ説明する。
【００３４】
図４に示すように、凹部３２Ａは、第２の消しゴム３０Ａの裏面３１Ａ側から表面３８Ａ側に凹んで形成される。凹部３２Ａの深さは、第１の消しゴム２０Ａの厚みと同程度の大きさが好適であるが、第２の消しゴム３０Ａに求められる仕様に応じて、任意に設定可能である。
【００３５】
図５に示すように、開口部３７Ａは、頭部収納部３３Ａの下部に設けられ、第１の消しゴム２０Ａに第２の消しゴム３０Ａが取り付けられた状態において、第２の消しゴム３０Ａの表面３８Ａ側に顔面模様２３Ａ（図４参照）を臨ませる。すなわち、開口部３７Ａは、頭部収納部３３Ａに頭部２２Ａ（図４参照）が収納されたとき、顔面模様２３Ａ（図４参照）に対向する。開口部３７Ａの大きさは任意であるが、ここでは、顔面模様２３Ａ（図４参照）の少なくとも要部（例えば、目、鼻、口等）を囲う程度の大きさに設定される。
【００３６】
取り付け孔３６Ａは、第２の消しゴム３０Ａの表面３８Ａに開口して設けられる。取り付け孔３６Ａは、第２の消しゴム３０Ａを表裏方向に貫通させてもよいし、貫通させなくてもよい。また、この例では、取り付け孔３６Ａを円形の孔としたが、取り付け孔３６Ａの形状は、円形の他、四角や多角形を含む各種の形状から選択可能である。なお、取り付け孔３６Ａの個数、配置は、この例に格別に限定されるものではなく、第２の消しゴム３０Ａに求められる仕様に応じて任意に設定可能である。
【００３７】
次に、装飾消しゴム４０を図６に基づいて説明する。
本実施形態では、複数種類の装飾消しゴム４０を設定する。以下の説明では、複数種類の装飾消しゴム４０について、個々の装飾消しゴム４０を説明する場合、同一の番号に「Ａ」ないし「Ｈ」を付けて区別し、これらをまとめて称する場合には番号のみを用いる。
【００３８】
図６（ａ）〜図６（ｈ）に示すように、装飾消しゴム４０Ａ〜４０Ｈは、各々、扁平状の装飾部４１Ａ〜４１Ｈと、装飾部４１Ａ〜４１Ｈの裏側に設けられ取り付け孔３６Ａ，３６Ｂ（図３参照）に嵌合可能な突起４２とからなる。この例では、装飾部４１Ａはリボン形、装飾部４１Ｂはハート形、装飾部４１Ｃは花形、装飾部４１Ｄは星形、装飾部４１Ｅは異形、装飾部４１Ｆは円形、装飾部４１Ｇは三角形、装飾部４１Ｈは四角形としたが、装飾部４１の形状は、任意である。また、突起４２の形状も、取り付け孔３６Ａ，３６Ｂ（図３参照）の形状に合わせ、任意の形状（この例では、円柱状）に設定される。なお、装飾消しゴム４０の種類数は、この例に格別に限定されるものではなく、任意である。
【００３９】
次に、組立式消しゴム１０の組み立て方法を図７、図８に基づいて説明する。
図７（ａ）に示すように、例えば、第１の消しゴム２０Ａのキャラクターに、第２の消しゴム３０Ａの着ぐるみを着せる場合、胴部収納部３５Ａに胴部２１Ａを嵌合して保持させると共に、頭部収納部３３Ａに頭部２２Ａを収納する。すると、第１の消しゴム２０Ａに第２の消しゴム３０Ａが取り付けられ、顔面模様２３Ａが開口部３７Ａに臨む。また、好きな装飾消しゴム４０Ａ〜４０Ｈ（図６参照）を選び、取り付け孔３６Ａに突起４２を差し込んで、装飾消しゴム４０を表面３８Ａに取り付ける。これにより、使用者は、第２の消しゴム３０Ａを着せた第１の消しゴム２０Ａのキャラクターの顔面模様２３Ａを開口部３７Ａから視認でき、しかも、第２の消しゴム３０Ａを装飾消しゴム４０で装飾することができる。
【００４０】
一方、図７（ｂ）に示すように、第１の消しゴム２０Ｂのキャラクターに、第２の消しゴム３０Ｂの着ぐるみを着せる場合も同様であり、胴部収納部３５Ｂに胴部２１Ｂを嵌合して保持させると共に、好きな装飾消しゴム４０Ａ〜４０Ｈ（図６参照）を選び、装飾消しゴム４０を表面３８Ｂに取り付ける。これにより、使用者は、第２の消しゴム３０Ｂを着せた第１の消しゴム２０Ｂのキャラクターの顔面模様２３Ｂを開口部３７Ｂから視認でき、しかも、第２の消しゴム３０Ｂを装飾消しゴム４０で装飾することができる。
【００４１】
そして、本実施形態では、第１の消しゴム２０Ａ，２０Ｂにおいて、胴部２１Ａ，２１Ｂの形状を略同一の形状としたので、第１の消しゴム２０Ａに第２の消しゴム３０Ｂを取り付けたり（矢印（１））、あるいは、第１の消しゴム２０Ｂに第２の消しゴム３０Ａを取り付けたり（矢印（２））、することが可能である。
【００４２】
すなわち、図８（ａ）に示すように、第１の消しゴム２０Ａに第２の消しゴム３０Ｂを取り付ける場合、胴部収納部３５Ｂに胴部２１Ａを嵌合して保持させると共に、頭部収納部３３Ｂに頭部２２Ａを収納する。これにより、使用者は、第１の消しゴム２０Ａのキャラクターに、第２の消しゴム３０Ｂの着ぐるみを着せることができる。
【００４３】
一方、図８（ｂ）に示すように、第１の消しゴム２０Ｂに第２の消しゴム３０Ａを取り付ける場合、胴部収納部３５Ａに胴部２１Ｂを嵌合して保持させると共に、頭部収納部３３Ａに頭部２２Ｂを収納する。これにより、使用者は、第１の消しゴム２０Ｂのキャラクターに、第２の消しゴム３０Ａの着ぐるみを着せることができる。
【００４４】
以上、説明した実施形態の組立式消しゴム１０の効果について述べる。
本実施形態の組立式消しゴム１０によれば、第２の消しゴム３０Ａ，３０Ｂの裏面３１Ａ，３１Ｂ側にて第１の消しゴム２０Ａ，２０Ｂを保持可能としたので、裏面３１Ａ，３１Ｂ側に結合部分（胴部収納部３５Ａ，３５Ｂ）が隠れる。このため、見栄えが良く、意匠性に優れる組立式消しゴム１０を得ることができる。また、キャラクターを模した第１の消しゴム２０Ａ，２０Ｂを用いることにより、面白い組立式消しゴム１０を得ることができる。
【００４５】
また、頭部２２Ａ，２２Ｂの形状が異なる複数種類の第１の消しゴム２０Ａ，２０Ｂと、着ぐるみの形態が異なる第２の消しゴム３０Ａ，３０Ｂと、を自由に組み合わせて、より多くの種類の組立式消しゴム１０を得ることができる。
【００４６】
また、第１の消しゴム２０Ａ，２０Ｂに第２の消しゴム３０Ａ，３０Ｂを取り付けた状態において、開口部３７Ａ，３７Ｂから顔面模様２３Ａ，２３Ｂを見て楽しむことができる。加えて、顔面模様２３Ａ，２３Ｂの異なる複数種の第１の消しゴム２０Ａ，２０Ｂを設定したので、第１の消しゴム２０Ａ，２０Ｂを取り替えることで、顔面模様２３Ａ，２３Ｂの異なる複数種類の組立式消しゴム１０を得ることができる。また、使用者は、第１の消しゴム２０Ａ，２０Ｂを開口部３７Ａ，３７Ｂから押すことにより、第１の消しゴム２０Ａ，２０Ｂから第２の消しゴム３０Ａ，３０Ｂを容易に取り外すことができる。
【００４７】
また、胴部２１Ａ，２１Ｂおよび頭部２２Ａ，２２Ｂが、第２の消しゴム３０Ａ，３０Ｂの裏面３１Ａ，３１Ｂ側に収納されるので、組立式消しゴム１０の表裏方向の寸法を小さくでき、コンパクトな組立式消しゴム１０を得ることができる。
【００４８】
また、第１の消しゴム２０Ａ，２０Ｂおよび第２の消しゴム３０Ａ，３０Ｂを扁平状に形成することで、組立式消しゴム１０を薄く構成し、文房具としても使い勝手の良い組立式消しゴム１０を得ることができる。
【００４９】
また、複数の取り付け孔３６Ａ，３６Ｂに対して、装飾消しゴム４０Ａ〜４０Ｈ（図６参照）を取り付けることができるので、装飾性の高い組立式消しゴム１０を得ることができる。
【００５０】
また、本実施形態では、装飾部４１Ａ〜４１Ｈ（図６参照）を扁平状に形成したので、装飾消しゴム４０Ａ〜４０Ｈが表面３８Ａ，３８Ｂから大きく突出しない。さらに、第１の消しゴム２０Ａ，２０Ｂおよび第２の消しゴム３０Ａ，３０Ｂを略左右対称形状とした。このため、組立式消しゴム１０の表裏方向および左右方向において、組立式消しゴム１０の自立安定性が高まる。また、第２の消しゴム３０Ａ,３０Ｂは、第１の消しゴム２０Ａ,２０Ｂの下部である胴部２１Ａ,２１Ｂにて保持することで、組立式消しゴム１０の上下方向において、組立式消しゴム１０の自立安定が高まる。結果、組立式消しゴム１０が薄く、且つ、頭部２２Ａ，２２Ｂが大きくても（組立式消しゴム１０の上部が重くても）、組立式消しゴム１０を安定的に自立させることができる。これにより、例えば、図９に示すように、家、玄関、庭などを模した模型体４３の上に、組立式消しゴム１０を立てるなどして楽しく遊ぶことができる。なお、この模型体４３に対して、装飾消しゴム４０Ａ〜４０Ｈ（図６参照）を取り付けてもよい。
【００５１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５２】
１０  組立式消しゴム
２０，２０Ａ，２０Ｂ  第１の消しゴム
２１Ａ，２１Ｂ  胴部
２２Ａ，２２Ｂ  頭部
２３Ａ，２３Ｂ  顔面模様
２５Ａ，２５Ｂ  表面
２６Ａ，２６Ｂ  裏面
３０，３０Ａ，３０Ｂ  第２の消しゴム
３１Ａ，３１Ｂ  裏面
３３Ａ，３３Ｂ  頭部収納部
３５Ａ，３５Ｂ  胴部収納部
３６Ａ，３６Ｂ  取り付け孔
３７Ａ，３７Ｂ  開口部
３８Ａ，３８Ｂ  表面
４０，４０Ａ〜４０Ｈ  装飾消しゴム
【要約】
【課題】  意匠性に優れる組立式消しゴムを提供する。
【解決手段】  組立式消しゴム１０は、第１の消しゴム２０Ａと、第１の消しゴム２０Ａに着脱可能に取り付けられる第２の消しゴム３０Ａと、を有する。第２の消しゴム３０Ａは、その裏面３１Ａ側が第１の消しゴム２０Ａの表面２５Ａ側に合わさり、且つ、第１の消しゴム２０Ａの少なくとも一部を裏面３１Ａ側にて保持可能である。組立式消しゴム１０によれば、第２の消しゴム３０Ａの裏面３１Ａ側にて第１の消しゴム２０Ａを保持可能としたので、裏面３１Ａ側に結合部分が隠れ、見栄えが良くなる。
【選択図】  図１【図１】
0005182905.tif 000002
【図２】
0005182905.tif 000003
【図３】
0005182905.tif 000004
【図４】
0005182905.tif 000005
【図５】
0005182905.tif 000006
【図６】
0005182905.tif 000007
【図７】
0005182905.tif 000008
【図８】
0005182905.tif 000009
【図９】
0005182905.tif 000010